(57)【要約】 【課題】  構内用ｘＤＳＬモデムがフリーズした場合に、構内電話回線を介して遠隔操作でフリーズした構内用ｘＤＳＬモデムをリブートする構内用ｘＤＳＬモデム対応リブートシステムを提供すると。【解決手段】  リブート信号送信端末１は、ＭＰＵ９１，ＮＣＵ８１、送信側回線リレー６１、手動スイッチ２０にて構成され、リブート信号受信端末２は、直流電圧検出回路部７と、ＭＰＵ９２，ＮＣＵ８２、受信側回線リレー、モデム電源切り換え部１０にて構成され、リブート信号送信端末１の手動スイッチ２０からの指令をリブート信号送信端末内のＭＰＵが受けた後、ＭＰＵが送信側回線リレー６１をセットし、これにより、直流電圧が構内電話回線５に重畳される。リブート信号受信端末２が、モデム電源切り換え部を動作させ、第２の構内用ｘＤＳＬモデムの電源をＯＮ状態からＯＦＦ状態とし、再度ＯＮ状態とする。       【選択図】  図１
2006339955.tif 000002
【特許請求の範囲】
【請求項１】
第１の構内用ｘＤＳＬモデムと、前記第１の構内用ｘＤＳＬモデムの近傍に配置されたリブート信号送信端末と、第２の構内用ｘＤＳＬモデムと、前記第２の構内用ｘＤＳＬモデムの近傍に配置されたリブート信号受信端末と、各々を結ぶ構内電話回線にて構成された構内用ｘＤＳＬモデム対応リブートシステムにおいて、前記リブート信号送信端末は、ＭＰＵ，ＮＣＵ、送信側回線リレー、リブート指令スイッチにて構成され、前記ＭＰＵには、前記リブート指令スイッチが接続され、また、前記リブート信号受信端末は、直流電圧検出回路部と、ＭＰＵ，ＮＣＵ、受信側回線リレー、およびモデム電源切り換え部にて構成され、前記リブート信号送信端末のリブート指令スイッチからの指令を、前記リブート信号送信端末内のＭＰＵが受けた後、前記ＭＰＵが、送信側回線リレーをセットし、これにより、直流電圧が構内電話回線に重畳され、一方、リブート信号受信端末の直流電圧検出回路部は、前記の重畳された直流電圧を検出し、該検出により、受信側回線リレーを反転し、ついで、リブート信号送信端末のＮＣＵからは呼び出し信号が発信され、リブート信号受信端末のＮＣＵは前記呼び出し信号を受信し、ついで、応答信号を発信し、リブート信号送信端末は、前記応答信号を受信し、モデム電源切り換え部への指令信号を発信し、送信側回線リレーを復帰させ、該復帰により構内電話回線の直流電圧がＯＦＦとなり、リブート信号受信端末の直流電圧検出回路部が直流電圧のＯＦＦを検出して受信側回線リレーを復帰させ、リブート信号受信端末のＭＰＵが前記指令信号を受信してモデム電源切り換え部を動作させることを特徴とする構内用ｘＤＳＬモデム対応リブートシステム。
【請求項２】
前記モデム電源切り換え部は、前記指令信号に従って、第２の構内用ｘＤＳＬモデムの電源をＯＮ状態からＯＦＦ状態とし、再度、ＯＮ状態とするか、またはＯＦＦ状態のままとするか、またはＯＦＦ状態をＯＮ状態とすることを特徴とする請求項１記載の構内用ｘＤＳＬモデム対応リブートシステム。
【発明の詳細な説明】
【技術分野】
【０００１】
本発明は、主として構内におけるｘＤＳＬ通信において、構内電話回線を用いて、遠隔にてリブート操作を行うのに好適な、構内用ｘＤＳＬモデム対応リブートシステムに関する。 
【背景技術】
【０００２】
図２は、従来の構内用ｘＤＳＬモデムの使用例の説明図である。図２にて、３１および４１は、構内用ｘＤＳＬモデムである。それぞれの構内用ｘＤＳＬモデムは、電源コンセント３００，および電源コンセント４００によって、電源を供給されている。また、構内用ｘＤＳＬモデム３１と構内用ｘＤＳＬモデム４１とは、構内電話回線５１（メタル線で、宅外回線から、直流分がカットされている）によって、ｘＤＳＬ通信を行っている。
【０００３】
ここで、図２に示す構内用ｘＤＳＬモデムは、２４時間、常時通信状態となる場合がある。例えば、防犯カメラによる監視、他である。近年、構内用ｘＤＳＬモデムは、高度な機能を持っており、このため、フリーズ等の動作障害を発生する場合があった。構内用ｘＤＳＬモデムがフリーズして、機能が停止すると、ｘＤＳＬ通信でのデータのやり取りは停止する。
【０００４】
特許文献１には、電源のＯＮとＯＦＦを遠隔的に操作する技術について記載されていて、対象機器が停止した場合、前記対象機器をＯＮ状態からＯＦＦ状態に切り替えて、所定時間後、ＯＮ状態とし、前記対象機種の機能を復帰させることが記載されている。
【０００５】
【特許文献１】特開２００１−２３６１４９号公報
【発明の開示】
【発明が解決しようとする課題】
【０００６】
図２に示すように、構内用ｘＤＳＬモデム３１あるいは構内用ｘＤＳＬモデム４１のどちらかがフリーズとなって、データ通信が遮断された場合、保守管理する担当者が、フリーズした構内用ｘＤＳＬモデムの場所まで行き、構内用ｘＤＳＬモデムを再起動して、リブート操作を行う必要があった。
【０００７】
本発明の課題は、構内用ｘＤＳＬモデムが、フリーズした場合に、構内電話回線を介して、遠隔操作にて、フリーズした構内用ｘＤＳＬモデムをリブートする、構内用ｘＤＳＬモデム対応リブートシステムを提供することである。
【課題を解決するための手段】
【０００８】
本発明の構内用ｘＤＳＬモデム対応リブートシステムは、構内電話回線以外のＩＰラインを介して、対象とする構内用ｘＤＳＬモデムが、フリーズしたことを知らせる信号が入った場合に、通信している相手側の構内用ｘＤＳＬモデムから、遠隔操作にてフリーズした構内用ｘＤＳＬモデムを、リブートするシステムである。
【０００９】
即ち、本発明は、第１の構内用ｘＤＳＬモデムと、第１の構内用ｘＤＳＬモデムの近傍に配置されたリブート信号送信端末と、第２の構内用ｘＤＳＬモデムと、前記第２の構内用ｘＤＳＬモデムの近傍に配置されたリブート信号受信端末と、各々を結ぶ構内電話回線にて構成された構内用ｘＤＳＬモデム対応リブートシステムにおいて、前記リブート信号送信端末は、ＭＰＵ（Micro  Processing  Unit），ＮＣＵ（Network  Control  Unit）、送信側回線リレー、リブート指令スイッチにて構成され、前記ＭＰＵには、前記リブート指令スイッチが接続され、また、前記リブート信号受信端末は、直流電圧検出回路部と、ＭＰＵ，ＮＣＵ、受信側回線リレー、およびモデム電源切り換え部にて構成され、前記リブート信号送信端末のリブート指令スイッチからの指令を、リブート信号送信端末内のＭＰＵが受けた後、前記ＭＰＵが、送信側回線リレーをセットし、これにより、直流電圧が構内電話回線に重畳され、一方、リブート信号受信端末の直流電圧検出回路部は、前記の重畳された直流電圧を検出し、これにより、受信側回線リレーを反転し、リブート信号送信端末のＮＣＵからは呼び出し信号が発信され、リブート信号受信端末のＮＣＵは前記呼び出し信号を受信して応答信号を発信し、リブート信号送信端末は、前記応答信号を受信し、モデム電源切り換え部への指令信号を発信して送信側回線リレーを復帰させ、これにより、構内電話回線の直流電圧がＯＦＦとなり、リブート信号受信端末の直流電圧検出回路部が直流電圧のＯＦＦを検出して受信側回線リレーを復帰させ、リブート信号受信端末のＭＰＵが、前記指令信号を受信してモデム電源切り換え部を動作させる構内用ｘＤＳＬモデム対応リブートシステムである。
【００１０】
また、本発明は、前記モデム電源切り換え部が前記指令信号に従って、第２の構内用ｘＤＳＬモデムの電源をＯＮ状態からＯＦＦ状態とし、再度、ＯＮ状態とするか、またはＯＦＦ状態のままとするか、またはＯＦＦ状態をＯＮ状態とする構内用ｘＤＳＬモデム対応リブートシステムである。
【発明の効果】
【００１１】
本発明によれば、構内用ｘＤＳＬモデムがフリーズした場合に、構内電話回線を介して、遠隔操作にて、フリーズした構内用ｘＤＳＬモデムをリブートする構内用ｘＤＳＬモデム対応リブートシステムを提供できる。
【発明を実施するための最良の形態】
【００１２】
本発明の構内用ｘＤＳＬモデム対応リブートシステムは、構内電話回線以外のＩＰラインを介して、対象とする構内用ｘＤＳＬモデムが、フリーズした事を知らせる信号が入った場合に、通信している相手側の構内用ｘＤＳＬモデムから、遠隔操作にて、フリーズした構内用ｘＤＳＬモデムを、リブートするシステムであり、第１の構内用ｘＤＳＬモデムと、第１の構内用ｘＤＳＬモデムの近傍に配置されたリブート信号送信端末と、第２の構内用ｘＤＳＬモデムと、前記第２の構内用ｘＤＳＬモデムの近傍に配置されたリブート信号受信端末と、各々を結ぶ構内電話回線にて構成されている。
【００１３】
ここで、前記リブート信号送信端末は、ＭＰＵ，ＮＣＵ、送信側回線リレー、リブート指令スイッチにて構成され、前記ＭＰＵには、リブート指令スイッチが接続され、また、前記リブート信号受信端末は、直流電圧検出回路部と、ＭＰＵ，ＮＣＵ、受信側回線リレー、およびモデム電源切り換え部にて構成されている。    
【００１４】
前記リブート信号送信端末のリブート指令スイッチからの指令を、リブート信号送信端末内のＭＰＵが受けた後、前記ＭＰＵが、送信側回線リレーをセットし、これにより、直流電圧が構内電話回線に重畳され、一方、リブート信号受信端末の直流電圧検出回路部は、前記の重畳された直流電圧を検出し、これにより、受信側回線リレーを反転し、リブート信号送信端末のＮＣＵからは呼び出し信号が発信され、リブート信号受信端末のＮＣＵは、前記呼び出し信号を受信し、ついで、応答信号を発信し、リブート信号送信端末は前記応答信号を受信し、モデム電源の切り換え部への指令信号を発信し、送信側回線リレーを復帰させ、これにより、構内電話回線の直流電圧がＯＦＦとなり、リブート信号受信端末の直流電圧検出回路部が直流電圧のＯＦＦを検出して受信側回線リレーを復帰させ、リブート信号受信端末のＭＰＵが、前記指令信号を受信してモデム電源切り換え部を動作させ、第２の構内用ｘＤＳＬモデムの電源をＯＮ状態からＯＦＦ状態とし、再度ＯＮ状態とするか、またはＯＦＦ状態のままとするか、またはＯＦＦ状態をＯＮ状態とする。
【実施例】
【００１５】
図１は、本発明の実施例による構内用ｘＤＳＬモデム対応リブートシステムの説明図である。図１に示すように、構内用ｘＤＳＬモデム対応リブートシステムは、第１の構内用ｘＤＳＬモデム３と、第１の構内用ｘＤＳＬモデム３の近傍に配置されたリブート信号送信端末１と、第２の構内用ｘＤＳＬモデム４と、前記第２の構内用ｘＤＳＬモデム４の近傍に配置されたリブート信号受信端末２と、各々を結ぶ構内電話回線５にて構成されている。
【００１６】
ここで、前記リブート信号送信端末１は、ＭＰＵ９１，ＮＣＵ８１、送信側回線リレー６１、リブート指令スイッチに対応する手動スイッチ２０にて構成され、前記ＭＰＵ９１には、前記手動スイッチ２０が接続され、また、前記リブート信号受信端末２は、直流電圧検出回路部７と、ＭＰＵ９２，ＮＣＵ８２、受信側回線リレー６２、およびモデム電源切り換え部１０にて構成されている。    
【００１７】
ここで、本実施例の構内用ｘＤＳＬモデム対応リブートシステムは、構内電話回線５以外のＩＰラインによって、対象とする構内用ｘＤＳＬモデムが、フリーズしたことを知らせる信号が入る。前記フリーズしたことを知らせる信号を受けて、手動スイッチ２０を投入する。
【００１８】
前記リブート信号送信端末１の手動スイッチ２０からの指令を、リブート信号送信端末１内のＭＰＵ９１が受けた後、前記ＭＰＵ９１が送信側回線リレー６１を反転し、これにより、直流電圧が構内電話回線５に重畳される。リブート信号受信端末２の直流電圧検出回路部７は、前記重畳された直流電圧を検出することにより、受信側回線リレー６２を反転する。次いで、リブート信号送信端末１のＮＣＵ８１からは、呼び出し信号が発信され、リブート信号受信端末２のＮＣＵ８２は、前記呼び出し信号を受信し、応答信号を発信する。リブート信号送信端末１のＮＣＵ８１は前記応答信号を受信し、ＮＣＵ８１からモデム電源切り換え部１０への指令信号を発信し、リブート信号送信端末２のＮＣＵ８２は、前記指令信号を受信する。  
【００１９】
一方、リブート信号受信端末２のＭＰＵ９２が、受信側回線リレー６２を復帰させ、さらに先の指令信号によってモデム電源切り換え部１０をＯＮ状態からＯＦＦからＯＮさせる。この動作によって、フリーズしていた構内用ｘＤＳＬモデム４の電源が、ＯＮ状態から、ＯＦＦからＯＮされて、再起動されるものである。なお、他の動作例として、構内用ｘＤＳＬモデムの電源をＯＦＦ状態のままとするか、あるいはＯＦＦ状態のものをＯＮ状態とすることも可能である。図３は、本発明の構内用ｘＤＳＬモデム対応リブートシステムの動作説明図である。
【図面の簡単な説明】
【００２０】
【図１】本発明の実施例による構内用ｘＤＳＬモデム対応リブートシステムの説明図。
【図２】従来の構内用ｘＤＳＬモデムの使用例の説明図。
【図３】本発明の構内用ｘＤＳＬモデム対応リブートシステムの動作説明図。
【符号の説明】
【００２１】
１    リブート信号送信端末
２    リブート信号受信端末   
３，３１，４，４１    構内用ｘＤＳＬモデム
５，５１    構内電話回線
７    直流電圧検出回路
６１    送信側回線リレー  
６２    受信側回線リレー
８１，８２    ＮＣＵ    
２０    手動スイッチ
１０         モデム電源切り換え部
３０，４０，３００，４００    電源コンセント
９１，９２    ＭＰＵ
１００    直流電源
【図１】
2006339955.tif 000003
【図２】
2006339955.tif 000004
【図３】
2006339955.tif 000005